(57)【要約】【課題】光源を覆うカバーを容易に取り外すことができる照明器具を提供する。【解決手段】枠体３０に、反射板４０を上方へ所定距離だけ移動可能に支持する支持金具３６を設けたので、指で反射板４０を押し上げることにより所定距離だけ上昇する。このため、枠体３０を外す際に、指をかける空間Ｓが形成されるので、容易に枠体を下降させて取り外すことができる。【選択図】図３
2011187247.tif 000002
【特許請求の範囲】
【請求項１】
光源と、
前記光源からの照明光を所定方向へ反射する反射板と、
前記反射板の照射方向前方に設けられて当該反射板の前端部を支持するとともに被取付面の前面に当接する枠体と、を有し、
前記枠体に、前記反射板を照射方向後方へ所定距離だけ移動可能に支持する支持金具を設けた照明器具。
【請求項２】
請求項１に記載の照明器具において、
前記支持金具の照射方向後方端を内側に鋭角に折り返して、前記反射板が照射方向後方へ所定距離移動したときに当接するストッパ部を設けた照明器具。
【発明の詳細な説明】
【技術分野】
【０００１】
本発明は、天井等の被取付部に埋め込んで取り付けられる照明器具に関するものである。
【背景技術】
【０００２】
従来より、天井等の被取付部に埋め込んで取り付けられる照明器具では、前面に設けられているカバーを仮止め位置まで一旦引き下ろしてから内部に手を挿入し、取付バネを外してからカバーを取り外すものがある（例えば特許文献１参照）。
【０００３】
図６に示すように、特許文献１に記載の照明器具１００は、被取付部である天井１０１に設けられている開口部に嵌め込んで取り付けられる器具本体１０２を有する。器具本体１０２は照射方向前方が開口した矩形箱状をしており、内部には光源である複数本のランプ１０３が収納されている。器具本体１０２の開口縁には係止鍔１０２Ａが周設されており、天井１０１の開口部周縁下面に係止鍔１０２Ａを係止させて、器具本体１０２を取り付ける。また、器具本体１０２の周壁１０２Ｂの一つには、後述する取付バネ１０６を弾性嵌合状態で挿通させて保持するバネ受け１０８が設けられており、周壁１０２ｂに対向する周壁１０２ｃには、後述する固定片１０７を係止する固定片受け１０９が取り付けられている。
【０００４】
器具本体１０２の前方には、天井面から露出する係止鍔１０２Ａを覆う枠体１０４が着脱可能に設けられており、枠体１０４には透光性のカバー１０５が取り付けられている。枠体１０４の一辺には略ハート状の取付バネ１０６が取り付けられ、取付バネ１０６に対向する他辺には固定片１０７が設けられている。
【０００５】
従って、枠体１０４およびカバー１０５を器具本体１０２に取り付ける際には、まず、取付バネ１０６の幅を狭めて器具本体１０２の内部からバネ受け１０８に通す。そして、枠体１０４の全体を器具本体１０２の開口に嵌める形で押し上げる。このとき、取付バネ１０６がさらにバネ受け１０８の内部に押し込まれる。そして、取付バネ１０６の両側を外側に膨らませるように略く字状に曲成した部分の下部が、バネ受け１０８の外部と挿通する開口縁に係止され、取付バネ１０６側の固定が行われる。同時に、固定片１０７が固定片受け１０９に圧入嵌合され、くびれ部が係止されることにより、枠体１０４の取付が完了する。
【０００６】
一方、ランプ１０３の交換時等に、装着されている枠体１０４およびカバー１０５を器具本体１０２から外す際には、まず固定片１０７側を下方に引き下げて、固定片１０７を固定片受け１０９から外す。このとき、取付バネ１０６側を仮保持状態にし、さらに取付バネ１０６の幅を狭めてバネ受け１０８から取りだし、枠体１０４を器具本体１０２から外す。
【先行技術文献】
【特許文献】
【０００７】
【特許文献１】実開平６−５６９１９号公報（第２図）
【発明の概要】
【発明が解決しようとする課題】
【０００８】
しかしながら、前述した特許文献１に記載の照明器具１００では、取り外す際に枠体１０４を下方へ引き下げるが、外観の観点から枠体１０４には指をかける場所が無く、指を枠体１０４の側面に押し付けて、摩擦力で枠体１０４を下降させるので、取り外し作業の改善が望まれている。
【０００９】
本発明は、従来の問題を解決するためになされたもので、光源を覆うカバーを容易に取り外すことができる照明器具を提供することを目的とする。
【課題を解決するための手段】
【００１０】
本発明の照明器具は、光源と、光源からの照明光を所定方向へ反射する反射板と、反射板の照射方向前方に設けられて当該反射板の前端部を支持するとともに被取付面の前面に当接する枠体と、を有し、枠体に、反射板を照射方向後方へ所定距離だけ移動可能に支持する支持金具を設けたものである。
【００１１】
また、本発明の照明器具は、支持金具の照射方向後方端を内側に鋭角に折り返して、反射板が照射方向後方へ所定距離移動したときに当接するストッパ部を設けたものである。
【発明の効果】
【００１２】
本発明は、枠体に、反射板を上方へ所定距離だけ移動可能に支持する支持金具を設けたので、指で反射板を押し上げることにより所定距離だけ上昇する。このため、枠体を外す際に、指をかける空間が形成されるので、容易に枠体を下降させて取り外すことができるという効果を有する照明器具を提供できる。
【図面の簡単な説明】
【００１３】
【図１】本発明に係る実施形態の照明器具を示す分解斜視図
【図２】本発明に係る実施形態の照明器具の一部断面図
【図３】図２中ＩＩＩ部分の拡大断面図であり、（Ａ）は通常の使用状態、（Ｂ）は反射板を押し上げた状態
【図４】（Ａ）は器具本体に設けられているバネ受けの斜視図、（Ｂ）は取付バネの正面図
【図５】カバー部材の斜視図
【図６】従来の照明器具の分解斜視図
【発明を実施するための形態】
【００１４】
以下、本発明の実施形態の照明器具について、図面を用いて説明する。
図１に示すように、本発明に係る実施形態の照明器具１０は、被取付部である天井１１に設けられている開口部１２に嵌め込んで、建造物の構造部材に接続されているアンカーボルト１３に固定される器具本体２０を有する。
【００１５】
図１および図２に示すように、器具本体２０は、照射方向前方（以後、単に「前方」または「下方」ともいう。）が開口した矩形箱状であり、天板２０Ａには点灯装置２１等の電気部品が取り付けられている。器具本体２０の前端で開口の周囲には、全周に亘って折返し部２０Ｂが設けられており、器具本体２０を天井１１の開口部１２に嵌め込んだ際に、天井１１の下面に当接する。
【００１６】
図４（Ａ）に示すように、器具本体２０の側壁２０Ｃには、後述する枠体３０に取り付けられている取付バネ３１を係止するバネ受け２２が設けられている。バネ受け２２は、器具本体２０の側壁２０Ｃを切り起こし等して、「ハ」字状に下方に向かって拡がる一対の受け片２２Ａ、２２Ａを有する。受け片２２Ａは、器具本体２０の内側へ突出して設けられる。
【００１７】
図１および図２に示すように、器具本体２０の前方には、矩形枠状の枠体３０が着脱可能に取り付けられる。従って、枠体３０を装着すると、器具本体２０の折返し部２０Ｂを隠して天井１１の下面に露出するので、外観が向上する。
図１乃至図３に示すように、枠体３０は、器具本体２０の折返し部２０Ｂの下面が全周に亘って当接する水平な本体受け部３３を有する。本体受け部３３の上方には、後述するカバー部材３２および反射板４０を支持する水平な支持部３４が設けられ、支持部３４の外端縁は上方に曲げ上げられて縦壁部３５が形成されている。
【００１８】
縦壁部３５の外側面に沿って、後述する反射板４０を所定距離だけ上下方向に移動可能に制限する支持金具としてのストッパ部材３６が設けられている。ストッパ部材３６は、枠体３０の本体受け部３３に当接する下板３６Ａと、下板３６Ａに直交して枠体３０の縦壁部３５に接触する縦板３６Ｂを有し、縦板３６Ｂの上端は反射板４０側に折り曲げられて、ストッパ部３６Ｃが形成されている。ストッパ部３６Ｃは、鋭角θに折り曲げられて、先端は下方に向いている。
なお、ストッパ部材３６は、枠体３０の全周に亘って設ける必要はなく、枠体３０の各辺に少なくとも１カ所ずつ設けることができる。
【００１９】
図１および図２に示すように、枠体３０には、枠体３０を器具本体２０に取り付けるための取付バネ３１が設けられており、器具本体２０のバネ受け２２に係止されることにより、枠体３０を器具本体２０に取り付ける。
図４（Ｂ）に示すように、取付バネ３１は、一対の係止アーム３１Ａ、３１Ａを有しており、両係止アーム３１Ａは互いに離反する方向（図４（Ｂ）中矢印方向）、すなわち外側へ弾性力により付勢されている。各係止アーム３１Ａは、中央部分で折り曲げられて、先端部３１Ｃおよび基端部３１Ｄにより全体「く」字状に形成される。さらに、先端部３１Ｃの先端は外側へ略直角に折り曲げられて、引掛部３１Ｂが形成されている。
【００２０】
図１乃至図３に示すように、枠体３０の上には、透過性を有する第２のパネルとしてのカバー部材３２が上下方向に一定量移動可能に設けられており、枠体３０の内側でカバー部材３２の上には、反射板４０が上下方向へ一定量移動可能に設けられている。
図２および図５に示すように、カバー部材３２は、上面３２Ａが平らで、下面３２Ｂには多数の四角錐形状の凸部３２Ｃが整列して設けられている集光パネルであり、上面からカバー部材３２を透過しつつある照射光は、下面３２Ｂの各凸部３２Ｃにおいて集光されて照射される。
【００２１】
反射板４０は全体四角錐台形状をしており、照射方向前方に向かって外側に拡開している。反射板４０の上端は開口（開口部４１）していて、斜面の内面が反射面４２となっている。また、反射板４０の下端部は水平方向へ折り曲げられて水平部４３が形成されており、水平部４３は、カバー部材３２の上面に載置される。水平部４３の先端は上方へ折り曲げられて縦壁４４が形成されており、縦壁４４の外側面で構成される平面視四角形は、枠体３０の縦壁部３５の内面で構成される平面視四角形よりも若干小さめとなっている。従って、縦壁４４は、カバー部材３２を介して当接する枠体３０の支持部３４と、枠体３０に取り付けられているストッパ部材３６のストッパ部３６Ｃに当接するまでの範囲で、枠体３０の縦壁部３５の内面に沿って上下移動可能となっている。
【００２２】
図１および図２に示すように、反射板４０の開口部４１には、発光部５０が取り付けられる。発光部５０は、光源である複数のＬＥＤチップ５１を実装したＬＥＤ基板５２と、ＬＥＤ基板５２の照射方向前方に設けられた第１のパネルであるパネル５３とを有する。パネル５３に対する反射面４２の角度φは、パネル５３を透過してきた照明光を反射できる角度に設定されている。
なお、パネル５３は、前述したカバー部材３２と同様の材料を用いることができる（図５参照）。
【００２３】
また、図２に示すように、ＬＥＤ基板５２において最も端部に設けられているＬＥＤチップ５１Ａと反射板４０の開口部４１内側端面との水平距離をＬＡ、ＬＥＤ基板５２までの反射面４２の延長線長さをＬＢ、ＬＥＤチップ５１とパネル５３の前面との鉛直距離をＬＣとする。この場合、例えば、ＬＢ＞ＬＡで、ＬＣを２０〜３０ｍｍ前後に設定し、角度φは３０°以上とするのが望ましい。
【００２４】
次に、枠体３０を、天井１１の開口部１２に嵌め込んで取り付けられている器具本体２０に取り付ける動作について説明する。
まず、枠体３０に設けられている取付バネ３１の両係止アーム３１Ａを指でつまんで接近させ、器具本体２０に設けられているバネ受け２２の一対の受け片２２Ａ、２２Ａの間に挿入して手を放す。両係止アーム３１Ａは弾性力で外側へ拡がり、係止アーム３１Ａの先端部３１Ｃが受け片２２Ａに係止される。この状態で枠体３０を下方へ引いても、各係止アーム３１Ａの引掛部３１Ｂが受け片２２Ａに引っかかるので、脱落しない（仮止め状態）。
次いで、枠体３０全体を押し上げることにより、取付バネ３１の係止アーム３１Ａの基端部３１Ｃが受け片２２Ａに係止されて、固定される（完全取付状態）。
【００２５】
一方、ＬＥＤ基板５２等の故障時に枠体３０を器具本体２０から取り外す際には、図３（Ｂ）に示すように、指でカバー部材３２を押し上げる（図３（Ｂ）中矢印Ｆ）と、カバー部材３２と反射板４０が持ち上がる。これに伴い、カバー部材３２と枠体３０との間に隙間Ｓができるので、隙間Ｓに指を入れて枠体３０を引き下げる。これにより、枠体３０は前述した仮止め状態まで下降するので、枠体３０と器具本体２０との間に指を入れて、取付バネ３１をつまんで両係止アーム３１Ａを接近させて、一対の受け片２２Ａ、２２Ａの間から抜き取る。これにより枠体３０、カバー部材３２、反射板４０および発光部５０を、器具本体２０から取り外すことができる。
【００２６】
以上、説明した本発明の実施形態にかかる照明器具１０によれば、枠体３０に、反射板４０を照射方向後方へ所定距離だけ移動可能に支持するストッパ部材３６を設けたので、指で反射板４０を押し上げることにより所定距離だけ上昇する。これにより、枠体３０を器具本体２０から外す際に、指をかける空間Ｓが形成され、容易に枠体３０を下降させて取り外すことができる。
【００２７】
また、ストッパ部材３６の照射方向後方端を内側に鋭角に折り返して、反射板４０が照射方向後方へ所定距離移動したときに当接するストッパ部３６Ｃを設けたので、反射板４０が上昇した際に縦壁４４を確実に係止して、反射板４０が脱落するのを防止できる。
【００２８】
また、複数のＬＥＤチップ５１を実装したＬＥＤ基板５２の照射方向前方にパネル５３を設け、このパネル５３の外周縁部前面から照射方向前方に向かって外側に拡開する反射板４０を設けたので、ＬＥＤチップ５１から発せられてパネル５３を透過した照射光を、効率よく所定の方向および範囲に照射できる。
【００２９】
また、反射板４０の反射面４２が、パネル５３を透過してきた照明光を反射できる角度で設けられているので、照射光を効率よく所定の方向および範囲に照射できる。
【００３０】
また、ＬＥＤチップ５１の照射方向前方に設けられたパネル５３の照射方向前方にさらにカバー部材３２を設けたので、ＬＥＤチップ５１の直下の照度を通常よりもさらに向上できる。
【００３１】
また、パネル５３およびカバー部材３２はＬＥＤチップ５１からの照射光を集光するので、ＬＥＤチップ５１の直下の照度を通常よりもさらに向上できる。さらに、カバー部材３２はパネル５３よりも大きいので、光の漏れを防止できる。
【００３２】
なお、本発明の照明器具は、前述した実施形態に限定されるものでなく、適宜な変形，改良等が可能である。
【符号の説明】
【００３３】
１０  照明器具
１１  天井（被取付面）
３０  枠体
３６  ストッパ部材（支持金具）
３６Ｃ  ストッパ部
４０  反射板
５１  ＬＥＤチップ（光源）
【図１】
2011187247.tif 000003
【図２】
2011187247.tif 000004
【図３】
2011187247.tif 000005
【図４】
2011187247.tif 000006
【図５】
2011187247.tif 000007
【図６】
2011187247.tif 000008